(57)【特許請求の範囲】
【請求項１】
液透過性の表面シート、液不透過性の裏面シート及び両シート間に介在された液保持性の中央吸収体を備え、実質的に縦長に形成された使い捨ておむつにおいて、
股下部における前記中央吸収体の両側縁の外方に、それぞれ第２吸収体がおむつの長手方向に沿って配設されており、
前記各第２吸収体が配設された領域に、弾性部材がおむつの長手方向に沿って配設されており、
前記第２吸収体は、前記表面シートと前記裏面シートとの間に配されており、前記弾性部材が、該第２吸収体と該裏面シートとの間に配設されている使い捨ておむつ。
【請求項２】
使い捨ておむつの幅方向における前記第２吸収体が配設された領域の外方に、第２弾性部材がおむつの長手方向に沿って配設されている請求項１記載の使い捨ておむつ。
【請求項３】
前記中央吸収体と前記第２吸収体それぞれとが離間している請求項１又は２記載の使い捨ておむつ。
【請求項４】
前記中央吸収体と前記第２吸収体それぞれとの間に位置する領域の単位面積当たりの重量が、前記第２吸収体が配設された領域の単位面積当たりの重量の２／３以下である請求項３記載の使い捨ておむつ。
【発明の詳細な説明】
【０００１】
【発明の属する技術分野】
本発明は、漏れ防止性能に優れており、特に脚廻りからの漏れを確実に防止することのできる使い捨ておむつに関する。
【０００２】
【従来の技術及び発明が解決しようとする課題】
従来、使い捨ておむつにおいては、脚廻りからの漏れを防止することが一つの課題であり、特公平５−３３６３０号公報には、吸収体を、人体に適合する幅の中央吸収部と、その外側に設けられた外側吸収部とから形成することにより、股間部の密着性を高め、それにより漏れ防止性能を向上させた使い捨ておむつが記載されている。
しかし、この使い捨ておむつにおいては、中央吸収部と外側吸収部との間に設けられた伸縮部の収縮により中央吸収部に皺が生じ易く、便や尿が、中央吸収部から、その皺を伝って容易に漏れ出す恐れがある。また、中央吸収部の密着性を高めることにより、漏れを防止しようとするものであるため、中央吸収部からその両側に漏れ出した便や尿は、容易に外側吸収部を越えて外部に漏れ出してしまう。
要するに、脚回りからの漏れを確実に防止できる充分な漏れ防止性能を有する使い捨ておむつは未だ提供されていないのが現状である。
【０００３】
従って、本発明の目的は、漏れ防止性能に優れており、特に脚廻りからの漏れを確実に防止することのできる使い捨ておむつを提供することにある。
【０００４】
【課題を解決するための手段】
本発明は、液透過性の表面シート、液不透過性の裏面シート及び両シート間に介在された液保持性の吸収体を備え、実質的に縦長に形成された使い捨ておむつにおいて、股下部における前記吸収体の両側縁の外方に、それぞれ第２吸収体がおむつの長手方向に沿って配設されており、前記第２吸収体が配設された領域に、弾性部材がおむつの長手方向に沿って配設されている使い捨ておむつを提供することにより、上記目的を達成したものである。
【０００５】
【発明の実施の形態】
以下、本発明をその好ましい実施形態に基づいて説明する。
本実施形態の使い捨ておむつ１は、図１〜３に示すように、液透過性の表面シート２、液不透過性の裏面シート３、及び両シート２、３間に介在された液保持性の吸収体としての中央吸収体４を備え、実質的に縦長に形成されている。
【０００６】
表面シート２及び裏面シート３は、それぞれ、使い捨ておむつ１の外形に等しい外形を有しており、長手方向中央部が括れた形状を有している。前記吸収体としての中央吸収体４は、使い捨ておむつ１の幅方向中央部における表面シート２及び裏面シート３間に介在されており、長手方向の中央部分が括れた砂時計状をなしている。
着用時に着用者の背側に配される背側部Ａには、背側ウエスト縁部（着用時に形成されるウエスト開口部の背中側の開口縁部を形成する部分）１１に沿うように、ウエストギャザー形成用のウエスト部弾性部材５が配設されている。
背側部Ａの両側縁部には、それぞれファスニングテープ９，９が設けられ、着用時に着用者の腹側に配される腹側部Ｂの外表面には、両ファスニングテープ９，９を止着するためのランディングゾーン（図示せず）が設けられている。
【０００７】
本使い捨ておむつの１における股下部Ｃは、着用時に着用者の股下に配される部分であり、背側部Ａと腹側部Ｂとの間に位置している。
そして、股下部Ｃにおける中央吸収体４の両側縁４１，４１の外方には、それぞれ該両側縁４１，４１から離間させて、液保持性の第２吸収体７，７が配設されている。第２吸収体７，７は、それぞれ、帯状をなしており、おむつ１の長手方向に沿って配設されている。より詳細には、第２吸収体７は、股下部Ｃにおいて、その幅が長手方向の全域に亘ってほぼ等しく、その長手方向をおむつ１の長手方向と一致させて配されている。また、第２吸収体７，７は、それぞれ背側部Ａと腹側部Ｂとの間に亘って配されており、その両端部７１，７２において、中央吸収体４に一体的に連設されている。
【０００８】
第２吸収体７としては、使い捨ておむつ等の吸収性物品における吸収体として従来用いられている各種構成のものを特に制限なく用いることができ、例えば、レーヨン、セルロース等の天然素材の親水性繊維の集合体や、ポリエチレン、ポリプロピレン等の合成繊維を表面処理したものの集合体、これらの集合体に吸水性ポリマーを保持させたもの等を用いることができる。
【０００９】
本発明の使い捨ておむつにおいては、第２吸収体７が配設された領域Ｒ（図２及び図３参照）に、弾性部材８が、おむつ１の長手方向に沿って配設されている。ここで、第２吸収体７が配設された領域Ｒとは、図１に示すように使い捨ておむつを展開状態として平面視したときに内部に第２吸収体７，７が配されている領域を意味する。
本実施形態の使い捨ておむつ１においては、図２に示すように、第２吸収体７が配設された領域Ｒにおける第２吸収体７と裏面シート３との間に複数本の弾性部材８が配設されている。各弾性部材８は、裏面シート３と該裏面シート３上に配設された固定用シート８２との間に伸張状態で挟持固定されている。
【００１０】
また、使い捨ておむつ１の幅方向における第２吸収体７が配設された領域Ｒの外方、即ち、おむつを図１に示すように展開状態として平面視したときにおける第２吸収体７が配設された領域Ｒよりもおむつの幅方向外方に、第２弾性部材８１がおむつ１の長手方向に沿って配設されている。第２弾性部材８１は、使い捨ておむつの１の左右両側の縁部にそれぞれに１本づつ配されており、図２に示すように、それぞれ表面シート２と裏面シート３との間に伸張状態で挟持固定されている。
【００１１】
前記領域Ｒに配設された弾性部材８及び該領域の外方に配設された第２弾性部材８１は、それぞれ、背側部Ａと腹側部Ｂとの間に亘って配されており、互いに平行に配されている。
【００１２】
本使い捨ておむつ１の各部材の形成材料について説明すると、表面シート２、裏面シート３、中央吸収体４及びファスニングテープ９の形成材料としては、それぞれ、従来、使い捨ておむつに用いられている各種のものを特に制限なく用いることができる。
弾性部材８及び第２弾性部材８１それぞれの形成素材としては、天然ゴム、合成ゴム、スパンデックス等の各種のものを用いることができ、それぞれの形態としては糸状、帯状、フィルム状等の各種のものを用いることができる。
【００１３】
本実施形態の使い捨ておむつ１は、通常の使い捨ておむつと同様にして着用者に装着されて使用される。
本実施形態の使い捨ておむつ１によれば、第２吸収体７が配された領域Ｒに弾性部材８が配されているため、着用時に、第２吸収体７が配された領域Ｒの肌側面が、図３に示すように、着用者Ｍの脚廻りに対して良好に密着する。そのため、中央吸収体４の側方に尿等が漏れ出しても、おむつの側縁部に達することなく、第１吸収体７に確実に吸収される。これにより、排泄物の漏れ、特に脚廻りからの尿の漏れが確実に防止される。
【００１４】
また、中央吸収体４と第２吸収体７，７それぞれとが股下部Ｃにおいて分断されているため、弾性部材８が収縮しても中央吸収体４に皺が発生しにくい。これにより、中央吸収体４の皺を伝って尿等が横方向へ移動することを防止でき、また、中央吸収体４の吸収能力を充分に発揮させることができるので、漏れが一層生じにくい。
【００１５】
また、本実施形態の使い捨ておむつ１においては、第２吸収体７，７が配設された領域Ｒの外方に、更に第２弾性部材８１が配設されているため、第２吸収体７，７が吸収した尿が、側縁から漏れ出すことを防止できる。
【００１６】
また、本実施形態の使い捨ておむつ１においては、中央吸収体４と第２吸収体７，７それぞれとが離間しているため、着用時には、図３に示すように、おむつ１の中央吸収体４と第２吸収体７との間に位置する所定幅の領域１２，１２が、着用者の肌面に対して角度をなすように起立し、その部分が漏れ防止用の立体障壁として機能する。そのため、漏れ防止性能、特に脚廻りからの漏れ防止性能に一層優れたものとなっている。また、中央吸収体４と第２吸収体７との間に位置する領域１２，１２が起立することにより、使い捨ておむつ１の内表面上に、補助吸収具２０を安定的に保持し得る形態の収容空間Ｓを容易に形成させることができ、補助吸収具２０を内表面上に配して併用する場合における該補助吸収具２０のズレを効果的に防止でき、また、補助吸収具２０の配置又は交換を極めて容易且つ迅速に行うことができる。
【００１７】
中央吸収体４と第２吸収体７との間に位置する領域１２には、吸収体が配されていても構わないが、該領域１２の起立性を高める観点から、該領域１２の単位面積当たりの重量は、第２吸収体７が配設された領域の単位面積当たりの重量の２／３以下であることが好ましい。
ここで、中央吸収体４と第２吸収体７との間の領域１２及び第２吸収体７が配設された領域Ｒの単位面積当たりの重量は、それぞれ、次のようにして求められる。即ち、使い捨ておむつにおける領域１２及び領域Ｒそれぞれから、１ｃｍ×１ｃｍの試験片を切り出し、その試験片の重量を測定する。
【００１８】
図３に示す補助吸収具２０は、液透過性の表面シート２２、液不透過性の裏面シート２３及び両シート２２，２３間に介在された液保持性の吸収体２４を具備する、実質的に縦長に形成された吸収パッドであり、その長手方向を、使い捨ておむつ１の長手方向に一致させるようにして、おむつ１の内表面上に配置されている。
【００１９】
上述した諸効果の１つ又はそれ以上を効率的に発現させる観点から、使い捨ておむつ１は、それぞれ股下部Ｃにおける、中央吸収体４の幅Ｌ１（図２参照）が５〜２５ｃｍであることが好ましく、中央吸収体４と第２吸収体７との間の間隔Ｌ２が０．５〜１０ｃｍであることが好ましく、第２吸収体７の幅Ｌ３が１〜１０ｃｍであることが好ましい。また、同様の観点から、股下部Ｃにおける使い捨ておむつ１の幅Ｌに対する中央吸収体４の幅Ｌ１の比（Ｌ１／Ｌ）が０．１〜０．８であることが好ましく、使い捨ておむつ１の前記幅Ｌに対する中央吸収体４と第２吸収体７との間の間隔Ｌ２の比（Ｌ２／Ｌ）は０．０１〜０．３であることが好ましく、股下部Ｃにおける使い捨ておむつ１の幅Ｌに対する第２吸収体７の幅Ｌ３の比（Ｌ３／Ｌ）は０．０２〜０．３であることが好ましい。ここで、各部の寸法や比は、おむつを図１に示すように展開して平面状に拡げた状態で計測した寸法及びそれに基づく比である。
【００２０】
本発明は、上述した実施形態に制限されず、本発明の趣旨を逸脱しない範囲内において適宜変更可能である。例えば、中央吸収体４と第２吸収体７それぞれとが離間しておらず、両者がスリットを介して隣接していてもよい。
また、第２吸収体７，７は、中央吸収体４とは完全に別体であってもよい。即ち、第２吸収体７，７と中央吸収体４とが該中央吸収体４の長手方向の全域に亘って分断されていてもよい。
【００２１】
また、中央吸収体４と第２吸収体７との間の領域１２には、中央吸収体４及び第２吸収体７よりも単位面積当たりの重量が小さい吸収性材料が配されていてもよい。例えば、中央吸収体４及び両第２吸収体７は、大幅の吸収体の幅方向中央に小幅の吸収体を積層すると共に、該大幅の吸収体の両側縁部を、該小幅の吸収体の両側縁部との間に所定の隙間が形成されるように、該大幅の吸収体の該小幅の吸収体を積層させた面側に折り返して形成されていても良い。
【００２２】
また、第２吸収体７が配設された領域Ｒの弾性部材８は、該領域における厚み方向の何れの部位に配設されていてもよく、例えば表面シート２と第２吸収体７との間、第２吸収体７内、裏面シート３の外面等に配設することができ、第２吸収体７よりおむつ外表面側に配設されていることが好ましい。また、弾性部材８及び第２弾性部材８１の本数は特に制限されず、それぞれ一本でも複数本でもよい。更に、使い捨ておむつの各部の形状、寸法、形成材料等は、適宜に変更することができる。尚、本発明の使い捨ておむつは、成人用のおむつとして特に適している。また、補助吸収具を併用しない使用方法でも同様の効果が得られる。
【００２３】
【発明の効果】
本発明の使い捨ておむつは、漏れ防止性能に優れており、特に脚廻りからの漏れ（横漏れ）を確実に防止することができるものである。
【図面の簡単な説明】
【図１】図１は、本発明の一実施形態としての使い捨ておむつを一部破断して示す平面図である。
【図２】図２は、図１のＸ−Ｘ線断面を模式的に示す断面図である。
【図３】図３は、図１の使い捨ておむつの使用状態を模式的に示す断面図である。
【符号の説明】
１    使い捨ておむつ
２    表面シート
３    裏面シート
４    中央吸収体（吸収体）
７    第２吸収体
８    弾性部材
９    ファスニングテープ
２０  補助吸収具
８１  第２弾性部材
Ａ    背側部
Ｂ    腹側部
Ｃ    股下部
Ｍ    着用者
Ｒ    第２吸収体が配された領域
【図１】
0004141100.tif 000002
【図２】
0004141100.tif 000003
【図３】
0004141100.tif 000004